【手続補正書】
【提出日】平成17年11月2日(2005.11.2)
【手続補正１】
【補正対象書類名】特許請求の範囲
【補正対象項目名】全文
【補正方法】変更
【補正の内容】
【特許請求の範囲】
【請求項１】
患者の脈管構造内に解放して展開させるための耐伸張性治療具であって、
近位端及び遠位端を有し、前記近位端と前記遠位端の間にルーメンを構成する血管閉塞コイルと、
前記血管閉塞コイルの前記ルーメンを通して延びる耐伸張性部材と、を含み、前記耐伸張性部材は、第１端が前記血管閉塞コイルに固定的に取り付けられ、そして患者の脈管構造内に血管閉塞コイルを置けるようにするため、第２端が細長いプッシャー部材に取り外し可能に取り付けられる、前記耐伸張性治療具。
【請求項２】
前記血管閉塞コイルは、該血管閉塞コイルの近位端に変位させたコイル部分を含み、前記耐伸張性部材は前記変位させたコイル部分の周りに配置される、請求項１に記載の耐伸張性治療具。
【請求項３】
前記血管閉塞コイルの前記変位させたコイル部分は、切断可能な部材によってプッシャ部材に取り外し自在に取り付けられる、請求項２に記載の耐伸張性治療具。
【請求項４】
患者の脈管構造内に耐伸張性治療具を解放して展開させるための装置であって、
近位端及び遠位端を有し、前記近位端と前記遠位端の間にルーメンを構成する血管閉塞コイルと、
前記血管閉塞コイルの前記近位端に隣接した遠位端を有する細長いプッシャ部材と、
前記血管閉塞コイルの前記ルーメンを通して延びる耐伸張性部材と、を含み、前記耐伸張性部材は、前記血管閉塞コイルに固定的に取り付けられ、そして患者の脈管構造内に血管閉塞コイルを置けるようにするため、細長いプッシャ部材の遠位端に取り外し可能に取り付けられる、前記装置。
【請求項５】
前記耐伸張性部材は、プッシャ部材に取り付けられたファイバー材料の少なくとも１つのループによってプッシャ部材の遠位端に取り外し可能に取り付けられる、請求項４に記載の装置。
【請求項６】
前記血管閉塞コイルは、該血管閉塞コイルの近位端の変位させたコイル部分によって、プッシャ部材の遠位端に取り外し可能に取り付けられる、請求項４に記載の装置。
【請求項７】
前記血管閉塞コイルは、ソケットとしてコイルの近位端に取り付けられたループによってプッシャ部材の遠位端に取り外し自在に取り付けられる、請求項４に記載の装置。
【請求項８】
前記血管閉塞コイルは、コイルの近位端に連結されたファイバーのループ及び耐伸張性部材に連結されたファイバーのループによってプッシャ部材の遠位端に取り外し可能に取り付けられる、請求項４に記載の装置。
【請求項９】
前記血管閉塞コイルの近位端は、遠位治療部分及び近位ステム部分を含み、前記耐伸張性部材を細長いプッシャ部材の前記遠位端から取り外すための手段を更に有し、前記近位ステム部分は少なくとも１つの丸形部材を有し、
細長いプッシャ部材の遠位端に取り付けられ、前記少なくとも１つの丸形部材を取り外し可能に保持する圧迫材料本体と、
前記血管閉塞コイルを前記圧迫材料本体から押し出すための手段と、を更に含む、請求項４に記載の装置。
【請求項１０】
圧迫材料本体は、血管閉塞コイルの近位ステム部分の少なくとも１つの丸形部材に係合する応力付与形態、及び血管閉塞コイルの近位ステム部分の前記少なくとも１つの丸形部分から引き抜かれた回復形態を有し、前記圧迫材料本体は、前記応力付与形態では、血管閉塞コイルの前記近位ステム部分に係合するように軸線方向に応力が付与され、前記血管閉塞コイルを押し出すための前記手段は、前記細長いプッシャ部材の遠位端の端部分を含み、前記端部分は、前記圧迫部材本体が前記血管閉塞コイルを前記圧迫材料本体から押し出すべく前記応力付与形態から前記回復形態に変化するとき、血管閉塞コイルの近位部分に接触する、請求項９に記載の装置。
【請求項１１】
圧迫材料本体は、血管閉塞コイルの近位ステム部分の少なくとも１つの丸形部材に係合する応力付与形態、及び血管閉塞コイルの近位ステム部分の前記少なくとも１つの丸形部分から引き抜かれた回復形態を有し、前記圧迫材料本体は、前記応力付与形態では、血管閉塞コイルの前記近位ステム部分に係合するように軸線方向及び半径方向に応力が付与され、前記血管閉塞コイルを押し出すための前記手段は、前記細長いプッシャ部材の遠位端の端部分を含み、前記端部分は、前記圧迫部材本体が前記血管閉塞コイルを前記圧迫材料本体から押し出すべく前記応力付与形態から前記回復形態に変化するとき、血管閉塞コイルの近位部分に接触する、請求項９に記載の装置。
【請求項１２】
圧迫材料本体は、近位端から遠位端まで延びる管状カラーを形成する管状断面を有し、前記端部分は、前記管状カラーの形状回復時に、前記血管閉塞コイルを前記管状カラーから押し出すべく前記血管閉塞コイルに係合するために前記管状カラーに対して内部に位置決めされる、請求項９に記載の装置。
【請求項１３】
前記圧迫材料本体は、ポリマーで構成される、請求項９に記載の装置。
【請求項１４】
前記圧迫材料本体は、ポリウレタンで構成される、請求項９に記載の装置。
【請求項１５】
前記圧迫材料本体は、ニッケル  チタン合金で構成される、請求項９に記載の装置。
【請求項１６】
前記耐伸張性部材は、切断可能な部材によって細長いプッシャ部材に連結され、前記切断可能な部材は、切断可能な部材の加熱によって切断することができる、請求項４に記載の装置。
【請求項１７】
血管閉塞コイルを脈管構造内に配置するため、血管閉塞コイルをプッシャ部材に取り外し可能に取り付けるコネクターファイバーと、
前記脈管構造内での血管閉塞コイルの所望な配置が達成されるとき、血管閉塞コイルをプッシャ部材から展開するために、コネクターファイバーが血管閉塞コイルを解放させるべく、コネクターファイバーに隣接して配置された、前記コネクターファイバーを切断するための手段と、
を含む、前記耐伸張性部材を細長いプッシャ部材の前記遠位端から取り外すための手段を更に有する、請求項４に記載の装置。
【請求項１８】
血管閉塞コイルを脈管構造内に配置するため、血管閉塞コイルをプッシャ部材に取り外し可能に取り付けるコネクターファイバーと、
前記脈管構造内での血管閉塞コイルの所望な配置が達成されるとき、血管閉塞コイルをプッシャ部材から展開するために、コネクターファイバーが血管閉塞コイルを解放させるべく、コネクターファイバー及び前記耐伸張性部材に隣接して配置された、前記コネクターファイバー及び前記耐伸張性部材を切断するための手段と、
を含む、前記耐伸張性部材を細長いプッシャ部材の前記遠位端から取り外すための手段を更に有する、請求項４に記載の装置。
【請求項１９】
前記コネクターファイバーを切断するための前記手段は電気抵抗加熱ワイヤからなる、請求項１７又は１８に記載の装置。
【請求項２０】
前記コネクターファイバーは熱可塑性材料で形成される、請求項１７又は１８に記載の装置。
【請求項２１】
前記コネクターファイバーはポリエチレンで形成される、請求項１７又は１８に記載の装置。
【請求項２２】
患者の脈管構造内に耐伸張性治療具を解放して展開させるための装置であって、
近位端及び遠位端を有し、前記近位端と前記遠位端の間にルーメンを構成し、且つ近位端に変位させたコイル部分を有する血管閉塞コイルと、
前記血管閉塞コイルの前記ルーメンを通して延び、前記血管閉塞コイルに固定的に取り付けられ、そして変位させたコイル部分の周りに配置される耐伸張性部材と
前記血管閉塞コイルの前記近位端に隣接して遠位端を有する細長いプッシャ部材と、を含み、前記変位させたコイル部分は、血管閉塞コイルを患者の脈管構造内に置けるように、細長いプッシャ部材の遠位端に取り外し可能に取り付けられる、
耐伸張性治療具を患者の脈管内に解放して展開させるための装置。
【請求項２３】
前記血管閉塞コイルの前記変位させたコイル部分は、切断可能な部材によって細長いプッシャ部材に取り外し自在に取り付けられる、請求項２２に記載の耐伸張性治療具。
【請求項２４】
前記耐伸張性部材は、リボン、ワイヤ、組紐、一次巻き線、又はストランド材料からなるリストから選択されたもので形成される、請求項１、４、又は２２に記載の耐伸張性治療具。
【請求項２５】
前記耐伸張性部材は、ポリマーで形成されたファイバーである、請求項１、４、又は２２に記載の耐伸張性治療具。
【請求項２６】
前記耐伸張性部材は、エチレン−オクテン共重合体、ポリプロピレン、又はポリエチレンからなる群から選択されたポリマーから形成されたファイバーである、請求項１、４、又は２２に記載の耐伸張性治療具。
【請求項２７】
前記耐伸張性部材は、金属で形成される、請求項１、４、又は２２に記載の耐伸張性治療具。
【請求項２８】
前記耐伸張性部材は、プラチナ及びニッケル  チタン合金からなる群から選択された材料で形成される、請求項１、４、又は２２に記載の耐伸張性治療具。
【請求項２９】
前記耐伸張性部材は、放射線不透過性である、請求項１、４、又は２２に記載の耐伸張性治療具。
【請求項３０】
血管閉塞コイルは、ファイバーの端の加熱によって耐伸張性部材の第１端に取り付けられる、請求項２６に記載の耐伸張性治療具。
【請求項３１】
耐伸張性部材の第２は、細長いプッシャ部材に結合される、請求項３０に記載の耐伸張性治療具。
【請求項３２】
前記耐伸張性治療具は、プッシャ部材に取り外し可能に取り付けられる、請求項１、又は２２に記載の耐伸張性治療具。
【請求項３３】
前記耐伸張性治療具は、射出によって展開のために解放される、請求項１、４、又は２２に記載の耐伸張性治療具。
【請求項３４】
前記耐伸張性治療具は、展開のために機械的に解放される請求項１、４、又は２２に記載の耐伸張性治療具。
【請求項３５】
前記耐伸張性治療具は、切断可能な部材によってプッシャ部材に取り外し自在に取り付けられる、請求項１、又は２２に記載の耐伸張性治療具。
【請求項３６】
切断可能な部材は、切断可能な部材の加熱によって切断することができる、請求項３５に記載の耐伸張性治療具。